(57)【特許請求の範囲】
【請求項１】
検査光を発する検査光源と、
前記検査光を照射される、流体で満たされるフローセルと、
前記フローセル内の流体を横切る前記検査光によって生じた、前記検査光とは波長が異なる反応光の形状を撮像する撮像装置と、
前記フローセルの位置を第１焦点とする楕円鏡と、
を備え、
前記撮像装置が、前記楕円鏡の頂点に設けられた孔を介して、前記反応光の形状を撮像する、
粒子検出装置。
【請求項２】
前記反応光がラマン散乱光である、請求項１に記載の粒子検出装置。
【請求項３】
前記フローセルを満たす流体が蛍光色素を含む液体であり、前記反応光が蛍光である、請求項１に記載の粒子検出装置。
【請求項４】
前記フローセルが、前記反応光を反射する半球面反射膜と、前記半球面反射膜で反射された反応光が透過する半球面レンズ部と、を備える、請求項１から３のいずれか１項に記載の粒子検出装置。
【請求項５】
粒子検出装置が備える検査光源から検査光を発することと、
前記粒子検出装置の流体で満たされるフローセル内の流体を横切る前記検査光によって生じた、前記検査光とは波長が異なる反応光の形状を撮像することと、
を備え、
前記撮像することにおいて、撮像装置が、前記フローセルの位置を第１焦点とする楕円鏡の頂点に設けられた孔を介して、前記反応光の形状を撮像する、
粒子検出装置の検査方法。
【請求項６】
前記反応光がラマン散乱光である、請求項５に記載の粒子検出装置の検査方法。
【請求項７】
前記フローセルを満たす流体が蛍光色素を含む液体であり、前記反応光が蛍光である、請求項５に記載の粒子検出装置の検査方法。
【請求項８】
所定の形状と、前記撮像装置が撮像した前記反応光の形状と、を比較することを更に備える、請求項５から７のいずれか１項に記載の粒子検出装置の検査方法。
【請求項９】
前記撮像装置が撮像した前記反応光の形状に基づき、前記粒子検出装置の光学系を調整することを更に備える、請求項５から８のいずれか１項に記載の粒子検出装置の検査方法。
【発明の詳細な説明】
【技術分野】
【０００１】
本発明は検出技術に関し、粒子検出装置及び粒子検出装置の検査方法に関する。
【背景技術】
【０００２】
液体パーティクルカウンタやフローサイトメータを含む粒子検出装置においては、サンプルである流体を流すためのフローセルが用いられる。フローセルは透明であり、フローセル内部を流れる流体に検査光を照射すると、流体中に含まれる粒子が蛍光を発したり、散乱光が生じたりする。蛍光や散乱光は、フローセルの隣に配置されたレンズで集光されて検出される。蛍光や散乱光の検出回数、検出強度、及び検出波長等から、流体中に含まれていた粒子の数や種類を特定することが可能である。例えば、粒子が生物粒子であるか否か、粒子が樹脂であるか否か、あるいは粒子が気泡であるか否か等を判別することが可能である。
【０００３】
粒子検出装置においては、出荷時や定期検査の際に、検査光源の位置、フローセルに対する検査光の入射位置及び入射角度を含む検査光の光路、検査光の焦点、並びにフローセルの位置等が検査される。また、これらの位置や角度が設計値からずれている場合は、これらの位置や角度を調整する。
【０００４】
例えば、特許文献１は、レーザビームを適正にキャピラリセルに入射させるために、集光レンズ又はキャピラリセルを移動させて、レーザビームと波長が同じ散乱光のピークを検出する方法を記載している。特許文献２は、レーザ光の照射位置を調整するために、レーザ光源に対するフローセルの位置を移動させ、フローセル内を流れる粒子によって生じたレーザ光と波長が同じ散乱光を検出する方法を記載している。特許文献３は、光学系及びフローセルの位置を調整するために、フローセルに粒子を流してフローセルにレーザ光を照射し、粒子で生じた、レーザ光と波長が同じ散乱光の画像を撮像する方法を記載している。
【先行技術文献】
【特許文献】
【０００５】
【特許文献１】特許第２７４５５６８号公報
【特許文献２】特開２００４−２５７７５６号公報
【特許文献３】特開平６−２２９９０４号公報
【発明の概要】
【発明が解決しようとする課題】
【０００６】
特許文献１に記載された方法は、集光レンズ又はキャピラリセルを移動させる作業が必要であり、煩雑である。また、分析される散乱光の波長がレーザビームの波長と同じであるため、迷光の影響を受けやすい。さらに、キャピラリセルの断面方向におけるレーザビームの位置しか調整できない。
【０００７】
特許文献２に記載された方法は、レーザ光の照射位置の調整のために、フローセルに粒子を流す必要がある。しかし、調整のために用いる粒子は、フローセルに残存するおそれがある。また、特許文献２に記載された発明は、特許文献１に記載された発明と同様に煩雑であり、迷光の影響を受けやすく、フローセルの位置しか調整できない。
【０００８】
特許文献３に記載された方法においても、調整のために用いる粒子は、フローセルに残存するおそれがある。また、粒子で生じた散乱光の波長は、ビーム光と波長が同じであるため、迷光と区別がつかない。さらに、ある粒子で生じた散乱光は、他の粒子で再度散乱されることが繰り返されるため、散乱光の形状は不明瞭になる。またさらに、散乱光は、粒子がレーザ光を横切った時のみに生じるため、高濃度の粒子をフローセルに流し続けなければならない。
【０００９】
本発明者らは、鋭意研究の末、従来技術の上記の課題を見出した。そこで、本発明は、フローセルを含む光学系の検査が容易な粒子検出装置及び粒子検出装置の検査方法を提供可能することを目的の一つとする。
【課題を解決するための手段】
【００１０】
本発明の態様によれば、（ａ）検査光を発する検査光源と、（ｂ）検査光を照射される、流体で満たされるフローセルと、（ｃ）フローセル内の流体を横切る検査光によって生じた、検査光とは波長が異なる反応光の形状を撮像する撮像装置と、を備える、粒子検出装置が提供される。
【００１１】
上記の粒子検出装置において、反応光がラマン散乱光であってもよい。フローセルを満たす流体が水を含む液体であってもよい。
【００１２】
上記の粒子検出装置において、反応光が蛍光であってもよい。フローセルを満たす流体が蛍光色素を含む液体であってもよい。
【００１３】
上記の粒子検出装置が、フローセルの位置を第１焦点とする楕円鏡をさらに備え、撮像装置が、楕円鏡の頂点に設けられた孔を介して、反応光を撮像してもよい。
【００１４】
上記の粒子検出装置において、フローセルが、反応光を反射する半球面反射膜と、半球面反射膜で反射された反応光が透過する半球面レンズ部と、を備えていてもよい。
【００１５】
また、本発明の態様によれば、（ａ）粒子検出装置が備える検査光源から検査光を発することと、（ｂ）粒子検出装置の流体で満たされるフローセル内の流体を横切る検査光によって生じた、検査光とは波長が異なる反応光の形状を撮像することと、を備える、粒子検出装置の検査方法が提供される。
【００１６】
上記の粒子検出装置の検査方法において、反応光がラマン散乱光であってもよい。フローセルを満たす流体が水を含む液体であってもよい。
【００１７】
上記の粒子検出装置の検査方法において、反応光が蛍光であってもよい。フローセルを満たす流体が蛍光色素を含む液体であってもよい。
【００１８】
上記の粒子検出装置の検査方法が、所定の形状と、撮像装置が撮像した反応光の形状と、を比較することをさらに備えていてもよい。
【００１９】
上記の粒子検出装置の検査方法が、撮像装置が撮像した反応光の形状に基づき、粒子検出装置の光学系を調整することをさらに備えていてもよい。
【００２０】
上記の粒子検出装置の検査方法において、フローセルの位置を第１焦点とする楕円鏡の頂点に設けられた孔を介して、反応光を撮像してもよい。
【００２１】
上記の粒子検出装置の検査方法において、フローセルが、検査光を照射された粒子で生じた反応光を反射する半球面反射膜と、半球面反射膜で反射された反応光が透過する半球面レンズ部と、を備えていてもよい。
【発明の効果】
【００２２】
本発明によれば、フローセルを含む光学系の検査が容易な粒子検出装置及び粒子検出装置の検査方法を提供可能である。
【図面の簡単な説明】
【００２３】
【図１】本発明の第１の実施の形態に係る粒子検出装置の模式図である。
【図２】本発明の第１の実施の形態に係る基準マークの模式図である。
【図３】本発明の第１の実施の形態に係る反応光（ラマン散乱光）の形状の模式図である。
【図４】本発明の第１の実施の形態に係る反応光（ラマン散乱光）の形状の模式図である。
【図５】本発明の第１の実施の形態に係る反応光（ラマン散乱光）の形状の模式図である。
【図６】本発明の第１の実施の形態に係る反応光（ラマン散乱光）の形状の模式図である。
【図７】本発明の第１の実施の形態に係る反応光（ラマン散乱光）の形状の模式図である。
【図８】本発明の第１の実施の形態に係る反応光（ラマン散乱光）の形状の模式図である。
【図９】本発明の第１の実施の形態に係る反応光（ラマン散乱光）の形状の模式図である。
【図１０】本発明の第１の実施の形態に係る反応光（ラマン散乱光）の形状の模式図である。
【図１１】本発明の第１の実施の形態に係る反応光（ラマン散乱光）の形状の模式図である。
【図１２】本発明の第３の実施の形態に係る粒子検出装置の模式図である。
【図１３】本発明の第３の実施の形態に係るフローセルをなす球状部材の模式図である。
【図１４】本発明の第３の実施の形態に係るフローセルの側面図である。
【図１５】本発明の第３の実施の形態に係るフローセルの断面図である。
【図１６】本発明の第３の実施の形態に係る反応光（ラマン散乱光）の形状の模式図である。
【図１７】本発明の第３の実施の形態に係る反応光（ラマン散乱光）の形状の模式図である。
【図１８】本発明の第３の実施の形態に係る反応光（ラマン散乱光）の形状の模式図である。
【図１９】本発明の第３の実施の形態に係る反応光（ラマン散乱光）の形状の模式図である。
【図２０】本発明の第３の実施の形態に係る反応光（ラマン散乱光）の形状の模式図である。
【図２１】本発明の第３の実施の形態に係る反応光（ラマン散乱光）の形状の模式図である。
【発明を実施するための形態】
【００２４】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００２５】
（第１の実施の形態）
本発明の第１の実施の形態に係る粒子検出装置は、図１に示すように、検査光を発する検査光源３０と、検査光を照射される、流体で満たされるフローセル４０と、フローセル４０内の流体を横切る検査光によって生じた、検査光とは波長が異なる反応光の形状を撮像する撮像装置９０と、を備える。ここで、流体とは、例えば液体である。
【００２６】
粒子検出装置が検出対象とする粒子は、微生物等を含む生体物質、細胞、化学物質、ごみ、ちり、及び埃等のダスト等を含む。微生物の例としては細菌及び真菌が含まれる。細菌の例としては、グラム陰性菌及びグラム陽性菌が挙げられる。グラム陰性菌の例としては、大腸菌が挙げられる。グラム陽性菌の例としては、表皮ブドウ球菌、枯草菌、マイクロコッカス、及びコリネバクテリウムが挙げられる。真菌の例としては、黒カビ等のアスペルギルスが挙げられる。ただし、微生物はこれらに限定されない。
【００２７】
フローセル４０には、検査対象粒子を含む流体が流れる貫通孔４４が設けられている。例えば、フローセル４０は直方体状であり、貫通孔４４は直方体状である。フローセル４０は、例えば石英ガラスからなる。
【００２８】
フローセル４０を流れる流体に、微生物等の蛍光性粒子が含まれていると、粒子は励起光を照射されて蛍光を発する。例えば、微生物に含まれるリボフラビン（ｒｉｂｏｆｌａｖｉｎ）、フラビンヌクレオチド（ＦＭＮ）、フラビンアデニンジヌクレオチド（ＦＡＤ）、ニコチンアミドアデニンジヌクレオチドリン酸（ＮＡＤ（Ｐ）Ｈ）、ピリドキサミン（ｐｙｒｉｄｏｘａｍｉｎｅ）、ピリドキサールリン酸（ｐｙｒｉｄｏｘａｌ−５’−ｐｈｏｓｐｈａｔｅ）、ピリドキシン（ｐｙｒｉｄｏｘｉｎｅ）、トリプトファン（ｔｒｙｐｔｏｐｈａｎ）、チロシン（ｔｙｒｏｓｉｎｅ）、及びフェニルアラニン（ｐｈｅｎｙｌａｌａｎｉｎｅ）等が、蛍光を発する。
【００２９】
フローセル４０内部を流れる蛍光性粒子を検出するための検査光としての励起光は、例えば、フローセル４０の中心に焦点を結ぶよう、検査光源３０から照射される。検査光源３０としては、発光ダイオード（ＬＥＤ）及びレーザが使用可能である。検査光の波長は、例えば２５０ないし５５０ｎｍである。検査光は、可視光であっても、紫外光であってもよい。検査光が可視光である場合、検査光の波長は、例えば４００ないし５５０ｎｍの範囲内であり、例えば４０５ｎｍである。検査光が紫外光である場合、検査光の波長は、例えば３００ないし３８０ｎｍの範囲内であり、例えば３４０ｎｍである。ただし、検査光の波長は、これらに限定されない。
【００３０】
検査領域としての貫通孔４４内部で励起光を照射された蛍光性粒子は蛍光を発する。また、励起光を照射された蛍光性粒子及び非蛍光性粒子において、例えばミー散乱による散乱光が生じる。ミー散乱による散乱光の波長は、検査光の波長と同じである。検査光を照射された粒子において生じた蛍光及び散乱光は、粒子から全方位的に発せられる。
【００３１】
フローセル４０の表面から出射した蛍光及び散乱光は、レンズ５５で集光され、レンズ５５の焦点に集光される。レンズ５５とレンズ５５の焦点の間には、波長選択的反射鏡７０Ａ、７０Ｂが配置されている。
【００３２】
波長選択的反射鏡７０Ａは、例えば、波長選択的に、ミー散乱による散乱光を反射する。波長選択的反射鏡７０Ａで反射された散乱光の焦点は、レンズ５５の焦点と光学的に等価である。波長選択的反射鏡７０Ａで反射された散乱光の焦点に、散乱光を検出するための光検出器６０Ａが配置される。波長選択的反射鏡７０Ａと光検出器６０Ａの間に、誘電体多層膜等を含むバンドパスフィルタ、及びロングパスフィルタ等が配置されてもよい。
【００３３】
波長選択的反射鏡７０Ｂは、例えば、波長選択的に、第１の波長帯域の蛍光を反射し、第２の波長帯域の蛍光を透過させる。波長選択的反射鏡７０Ｂで反射された蛍光の焦点は、レンズ５５の焦点と光学的に等価である。波長選択的反射鏡７０Ｂで反射された第１の波長帯域の蛍光の焦点に、第１の波長帯域の蛍光を検出するための光検出器６０Ｂが配置される。波長選択的反射鏡７０Ｂで透過した第２の波長帯域の蛍光の焦点に、第２の波長帯域の蛍光を検出するための光検出器６０Ｃが配置される。波長選択的反射鏡７０Ｂと光検出器６０Ｂの間、及び波長選択的反射鏡７０Ｂと光検出器６０Ｃの間に、誘電体多層膜等を含むバンドパスフィルタ、及びロングパスフィルタ等が配置されてもよい。
【００３４】
波長選択的反射鏡７０Ａ、７０Ｂとしては、ダイクロイックミラー、干渉膜フィルタ、及び光学フィルタ等が使用可能である。
【００３５】
第１の実施の形態に係る粒子検出装置において、光学系、例えば、検査光源３０の位置、フローセルに対する検査光の入射位置及び入射角度を含む検査光の光路、検査光の焦点、並びにフローセル４０の位置の少なくとも一つが正確であるか否かを検査する際には、フローセル４０の貫通孔４４に任意の液体を流すか、任意の液体を充填する。任意の液体とは、例えば水を含む液体である。水を含む液体は、水のみからなっていてもよい。水を含む液体は、粒子を含んでいなくてもよい。エタノール等も、任意の液体として使用可能である。任意の液体に検査光を照射すると、液体に反応光としてラマン散乱光が生じる。ラマン散乱光の波長は、検査光の波長よりも長い。ラマン散乱光は、任意の液体を検査光が横切った位置に生じる。したがって、ラマン散乱光の形状は、液体を横切る検査光の光路と一致する。ラマン散乱光は、液体がないところには生じない。
【００３６】
第１の実施の形態に係る粒子検出装置は、例えば、ラマン散乱光を反射する部分反射鏡７１をさらに備える。部分反射鏡７１で反射されたラマン散乱光の焦点は、レンズ５５の焦点と光学的に等価である。ラマン散乱光の焦点に撮像装置９０が配置される。部分反射鏡７１と撮像装置９０の間には、検査光を透過させず、ラマン散乱光を波長選択的に透過させるバンドパスフィルタあるいはロングパスフィルタ等の波長フィルタ８０が配置されていてもよい。ただし、部分反射鏡７１が、ラマン散乱光を波長選択的に反射する場合は、波長フィルタ８０は無くてもよい。
【００３７】
撮像装置９０は、検査光の進行方向、及びフローセル４０の貫通孔４４の延伸方向に対して垂直な方向から、ラマン散乱光を撮像し、画像データを出力する。
【００３８】
撮像装置９０は、撮像した画像に図２に示す所定の形状の基準マークが写るよう設定されている。基準マークは、例えば十字型である。図１に示すフローセル４０の貫通孔４４及び検査光の焦点が正確な位置にある場合、図２に示す十字型の交点と、検査光の焦点と、が、一致するよう、基準マークは設定される。また、フローセル４０の貫通孔４４及び検査光の焦点が正確な位置にある場合、図２に示す十字型の横線と、検査光の光路と、が、重なるよう、基準マークは設定される。そのため、図３に示すように、十字型の横線と重なり、中心が十字型の交点と一致する線分形状のラマン散乱光が、撮像装置９０で撮像される。なお、図３においては、模式的にフローセル４０の貫通孔４４を示しているが、ラマン散乱光のみが撮像されればよい。
【００３９】
検査光の光路が、本来の光路よりも垂直方向上側に平行にずれている場合、図４に示すように、十字型の横線よりも上の位置に、ラマン散乱光が、撮像装置９０で撮像される。検査光の光路が、本来の光路よりも垂直方向下側に平行にずれている場合、図５に示すように、十字型の横線よりも下の位置に、ラマン散乱光が、撮像装置９０で撮像される。
【００４０】
ラマン散乱光が垂直方向にずれて撮像された場合、ずれが無くなるよう、例えば検査光源３０の位置を垂直方向に移動させる。検査光源３０の移動量は、例えば、撮像装置９０のレンズの倍率や、撮像装置９０で撮像された画像における十字型の横線と、ラマン散乱光と、の垂直方向におけるずれから算出することができる。
【００４１】
検査光の光路が、本来の光路よりも垂直方向上側に傾いている場合、図６に示すように、十字型の横線に対して上方斜めのラマン散乱光が、撮像装置９０で撮像される。検査光の光路が、本来の光路よりも垂直方向下側に傾いている場合、図７に示すように、十字型の横線に対して下方斜めのラマン散乱光が、撮像装置９０で撮像される。
【００４２】
傾斜したラマン散乱光が撮像された場合、ラマン散乱光の傾斜が無くなるよう、例えば検査光源３０を傾斜させる。検査光源３０の傾斜量は、例えば、線分状のラマン散乱光の両端の位置のずれや、十字型の横線に対する線分状のラマン散乱光の角度から算出することができる。
【００４３】
フローセル４０の貫通孔４４が、検査光の進行方向と同じ方向、あるは検査光の進行方向と反対方向にずれていた場合、図８に示すように、十字型の交点と、線分状のラマン散乱光の中心と、がずれた画像が、撮像装置９０で撮像される。このような画像が撮像された場合、ずれがなくなるよう、フローセル４０の貫通孔４４を移動させる。フローセル４０の貫通孔４４の移動量は、例えば、撮像装置９０で撮像された画像における十字型の交点と、線分状のラマン散乱光の中心と、のずれから算出することができる。
【００４４】
フローセル４０の貫通孔４４が、傾いていた場合、図９に示すように、検査光の入射点及び出射点に対応する線分状のラマン散乱光の両端が傾いたり、線分状のラマン散乱光の長さが、貫通孔４４の延伸方向に対して垂直方向における幅より長くなったりする。このような画像が撮像された場合、例えば、線分状のラマン散乱光の両端の傾きがなくなるよう、あるいは線分状のラマン散乱光の長さが貫通孔４４の幅と同じになるよう、フローセル４０の貫通孔４４の傾きを補正する。
【００４５】
なお、検査光の焦点においては、図１０に示すように、検査光が最も細く絞られ、強いラマン散乱光が発生する。したがって、撮像装置９０で撮像された画像における十字型の交点と、ラマン散乱光の形状が最も細く絞られる点、あるいは、ラマン散乱光の強度が最も強い点と、を比較して、例えば検査光源３０の位置が正しいか判定してもよい。撮像装置９０で撮像された画像における十字型の交点と、ラマン散乱光の形状が最も細く絞られる点、あるいは、ラマン散乱光の強度が最も強い点と、がずれている場合、ずれがなくなるよう、検査光源３０等を移動させる。
【００４６】
また、検査光の焦点がフローセル４０の貫通孔４４の中心軸上にあるよう設計されている場合、ラマン散乱光は、検査光の焦点を中心に左右対称的に発生する。これに対し、フローセル４０が検査光の進行方向にずれている場合、図１１に示すように、ラマン散乱光は、検査光の焦点に対して左右非対称に現れる。この場合、ラマン散乱光が、検査光の焦点を中心に左右対称的に発生するよう、フローセル４０を移動させる。
【００４７】
以上説明した第１の実施の形態に係る粒子検出装置によれば、ラマン散乱光の形状を撮像することにより、光学系、例えば、図１に示す検査光源３０の位置、フローセルに対する検査光の入射位置及び入射角度を含む検査光の光路、検査光の焦点、並びにフローセル４０の位置の少なくとも一つを把握することが可能である。また、把握した検査光源３０の位置、フローセル４０に対する検査光の入射位置及び入射角度を含む検査光の光路、検査光の焦点、並びにフローセル４０の位置の少なくとも一つに基づいて、検査光の光学系や、フローセル４０の位置及び角度の調整をすることが可能である。
【００４８】
また、第１の実施の形態に係る粒子検出装置によれば、ラマン散乱光の形状を撮像することにより、例えば、検査光源３０の位置、フローセル４０に対する検査光の入射位置及び入射角度を含む検査光の光路、検査光の焦点、並びにフローセル４０の位置の任意の複数を同時に把握することが可能である。
【００４９】
さらに、第１の実施の形態に係る粒子検出装置によれば、粒子検出装置の光学系の検査の際に、フローセル４０に粒子を含む流体を流す必要がない。そのため、検査のために用いる粒子がフローセル４０を含む流路に残存することがない。また、検査光、及び検査光と波長が同じ散乱光とは波長が異なるラマン散乱光を波長選択的に観察することにより、検査光から生じた迷光の影響を抑制することが可能である。
【００５０】
（第２の実施の形態）
第１の実施の形態に係る粒子検出装置では、光学系を検査する際に、図１に示すフローセル４０の貫通孔４４に任意の液体を流すか、任意の液体を充填し、ラマン散乱光を撮像する例を説明した。これに対し、第２の実施の形態では、光学系を検査する際、フローセル４０の貫通孔４４に、検査光を励起光とする蛍光色素を含む液体を流すか、蛍光色素を含む液体を満たす。
【００５１】
蛍光色素としては、検査光を励起光として蛍光を発する物質であればよく、リボフラビンや蛍光染料等が使用可能である。蛍光色素を含む液体は、粒子を含んでいなくてもよい。蛍光色素を含む液体に検査光を照射すると、液体に反応光として蛍光が生じる。蛍光は、蛍光色素を含む液体を検査光が横切った位置に生じる。したがって、蛍光の形状は、液体を横切る検査光の光路と一致する。蛍光は、蛍光色素を含む液体がないところには生じない。
【００５２】
第２の実施の形態において、図１に示す部分反射鏡７１は蛍光を反射する。部分反射鏡７１と撮像装置９０の間には、蛍光を波長選択的に透過するバンドパスフィルタあるいはロングパスフィルタ等の波長フィルタ８０が配置されていてもよい。ただし、部分反射鏡７１が、蛍光を波長選択的に反射する場合は、波長フィルタ８０は無くてもよい。
【００５３】
第２の実施の形態に係る粒子検出装置によれば、撮像装置９０で撮像される蛍光の形状から、光学系、例えば、図１に示す検査光源３０の位置、フローセルに対する検査光の入射位置及び入射角度を含む検査光の光路、検査光の焦点、並びにフローセル４０の位置の少なくとも一つを把握することが可能である。
【００５４】
（第３の実施の形態）
図１２に示す第３の実施の形態に係る粒子検出装置において、フローセル４０は、反応光を反射する半球面反射膜４２と、半球面反射膜４２で反射された反応光が透過する半球面レンズ部４３と、を備える。また、第３の実施の形態に係る粒子検出装置は、フローセル４０の位置を第１焦点とする楕円鏡５０をさらに備え、撮像装置９０が、楕円鏡５０の頂点に設けられた孔を介して、反応光の形状を撮像する。光検出器６０Ａ、６０Ｂ、６０Ｃは、楕円鏡５０の第２焦点に配置される。
【００５５】
フローセル４０は、図１３に示すように、検査対象粒子を含む流体が流れる貫通孔４４が設けられた透明な球体部材４１を備える。透明な球体部材４１の表面及び貫通孔４４の内壁は、例えば、研磨されている。貫通孔４４は、例えば球体部材４１の中心を通る。貫通孔４４の延伸方向に対する貫通孔４４の断面形状は、例えば円である。貫通孔４４の断面形状を円とし、内壁に角がないようにすると、貫通孔４４の内部に気泡が滞留したり、汚れが付着したりすることを抑制することが可能となる。貫通孔４４の延伸方向は、検査光の進行方向に対して垂直、かつ楕円鏡５０の長軸方向に対して垂直である。貫通孔４４の直径は、これに限定されないが、例えば１ｍｍ未満である。球体部材４１は、例えば石英ガラスからなる。
【００５６】
図１４及び図１５に示すように、半球面反射膜４２は、球体部材４１の一部、例えば貫通孔４４を境に約半分を覆っている。半球面反射膜４２は、例えば蒸着膜であり、金属等からなる。あるいは、半球面反射膜４２は、誘電体多層膜であってもよい。球体部材４１の半球面反射膜４２で覆われていない部分が、半球面レンズ部４３として機能する。半球面反射膜４２と、半球面レンズ部４３と、は、対向している。
【００５７】
図１２に示すように、フローセル４０は、半球面レンズ部４３の凸部及び半球面反射膜４２の凹部が楕円鏡５０と対向するように配置される。また、フローセル４０は、貫通孔４４が通るフローセル４０の中心が、楕円鏡５０の第１焦点と一致するよう、配置される。
【００５８】
フローセル４０内部を流れる蛍光性粒子を検出するための検査光としての励起光は、例えば、球状のフローセル４０の中心に焦点を結ぶよう、検査光源３０から照射される。
【００５９】
検査光を照射された粒子で生じた蛍光及び散乱光であって、図１５に示すフローセル４０の半球面レンズ部４３の方に進行した蛍光及び散乱光は、半球面レンズ部４３の表面から出射し、楕円鏡５０に到達する。検査光の焦点が球体部材４１の中心と一致する場合、検査光の焦点で生じた蛍光及び散乱光は、半球面レンズ部４３の表面に対してほぼ垂直に入射する。そのため、蛍光及び散乱光は、半球面レンズ部４３の表面でほぼ屈折することなく、半球面レンズ部４３の表面から出射する。
【００６０】
フローセル４０の半球面反射膜４２の方に進行した蛍光及び散乱光は、半球面反射膜４２で反射され、半球面レンズ部４３の表面から出射し、楕円鏡５０に到達する。検査光の焦点が球体部材４１の中心と一致する場合、検査光の焦点で生じた蛍光及び散乱光は、半球面反射膜４２に対してほぼ垂直に入射する。そのため、蛍光及び散乱光は、半球面反射膜４２でほぼ垂直に反射され、球体部材４１のほぼ中心を経て、半球面レンズ部４３の表面でほぼ屈折することなく、半球面レンズ部４３の表面から出射する。
【００６１】
図１２に示す楕円鏡５０の凹面は、半球面反射膜４２の凹面、及び半球面レンズ部４３の凸面と対向している。半球面レンズ部４３の表面から出射した蛍光及び散乱光は、楕円鏡５０で反射され、フローセル４０の後方の楕円鏡５０の第２焦点に集光される。例えば、フローセル４０の半球面反射膜４２と比較して楕円鏡を十分に大きくすることによって、楕円鏡５０による蛍光及び散乱光の集光効率が向上する。楕円鏡５０の幾何学的な第１焦点及び第２焦点の間に、波長選択的反射鏡７０Ａ、７０Ｂが配置されている。
【００６２】
波長選択的反射鏡７０Ａは、例えば、波長選択的に、ミー散乱による散乱光を反射する。波長選択的反射鏡７０Ａで反射された散乱光の焦点は、楕円鏡５０の幾何学的な第２焦点と光学的に等価である。波長選択的反射鏡７０Ａで反射された散乱光の焦点に、散乱光を検出するための光検出器６０Ａが配置される。波長選択的反射鏡７０Ａと光検出器６０Ａの間に、誘電体多層膜等を含むバンドパスフィルタ、及びロングパスフィルタ等が配置されてもよい。
【００６３】
波長選択的反射鏡７０Ｂは、例えば、波長選択的に、第１の波長帯域の蛍光を反射し、第２の波長帯域の蛍光を透過させる。波長選択的反射鏡７０Ｂで反射された蛍光の焦点は、楕円鏡５０の幾何学的な第２焦点と光学的に等価である。波長選択的反射鏡７０Ｂで反射された第１の波長帯域の蛍光の焦点に、第１の波長帯域の蛍光を検出するための光検出器６０Ｂが配置される。波長選択的反射鏡７０Ｂで透過した第２の波長帯域の蛍光の焦点に、第２の波長帯域の蛍光を検出するための光検出器６０Ｃが配置される。波長選択的反射鏡７０Ｂと光検出器６０Ｂの間、及び波長選択的反射鏡７０Ｂと光検出器６０Ｃの間に、誘電体多層膜等を含むバンドパスフィルタ、及びロングパスフィルタ等が配置されてもよい。
【００６４】
波長選択的反射鏡７０Ａ、７０Ｂとしては、ダイクロイックミラー、干渉膜フィルタ、及び光学フィルタ等が使用可能である。なお、波長選択的反射鏡７０Ａ、７０Ｂのそれぞれの設計入射角度が４５度である場合、楕円鏡５０の第１及び第２焦点の間隔を、波長選択的反射鏡７０Ａ、７０Ｂに対する散乱光又は蛍光の入射角が３５度以上５５度以下になるように設定すると、干渉膜フィルタの分光効率が高くなる傾向にあるが、これに限定されない。また、設計入射角度が０度の光学系がバンドパスフィルタ及びロングパスフィルタを含む場合、バンドパスフィルタ及びロングパスフィルタに対する散乱光又は蛍光の入射角が１０度以下になるように設定するとよい。
【００６５】
以上説明した第３の実施の形態に係る粒子検出装置によれば、当初、楕円鏡５０と反対方向に進行した蛍光及び散乱光を半球面反射膜４２で楕円鏡５０の方向に反射し、光検出器６０Ａ、６０Ｂ、６０Ｃの位置に集光することが可能となる。そのため、フローセル４０内において、当初、粒子から全方位的に発せられた蛍光及び散乱光を、レンズ集光系と同等以上の効率で集光し、検出することが可能となる。
【００６６】
また、第３の実施の形態に係る粒子検出装置においては、フローセル４０に半球面反射膜４２を設けることにより、半球面反射膜４２を小さくすることが可能となる。そのため、半球面反射膜４２の影の面積を小さくすることが可能となり、蛍光及び散乱光の集光効率が向上し、高価な高開口数レンズを含む複雑な光学系を用いなくとも、微弱な蛍光や散乱光を効率よく検出することが可能となる。また、第３の実施の形態に係る粒子検出装置は、複雑な光学系を必要としないため、製造や調節が容易である。
【００６７】
第３の実施の形態に係る粒子検出装置において、光学系、例えば、検査光源３０の位置、フローセルに対する検査光の入射位置及び入射角度を含む検査光の光路、検査光の焦点、並びにフローセル４０の位置の少なくとも一つが正確であるか否かを検査する際には、第１の実施の形態と同様に、フローセル４０の貫通孔４４に任意の液体を流すか、任意の液体を充填する。
【００６８】
撮像装置９０は、検査光の進行方向、及びフローセル４０の貫通孔４４の延伸方向に対して垂直である、楕円鏡５０の長軸方向から、楕円鏡５０の頂点に設けられた孔を介して、ラマン散乱光を撮像し、画像データを出力する。楕円鏡５０の頂点に設けられた孔は、例えば、楕円鏡５０の第２焦点から見て、フローセル４０の影になる部分に設けられる。
【００６９】
フローセル４０の貫通孔４４の断面形状が円である場合、図１６に示すように、検査光は、貫通孔４４の中心を通るように設定される。この場合、図１７に示すように、ラマン散乱光の形状の長さは、貫通孔４４の直径とほぼ等しくなる。これに対し、図１８に示すように、検査光の光路が貫通孔４４の中心からずれている場合、図１９に示すように、ラマン散乱光の形状の長さは、貫通孔４４の直径よりも短くなる。
【００７０】
貫通孔４４の直径よりも短い形状のラマン散乱光が撮像された場合、ラマン散乱光の形状の長さが貫通孔４４の直径とほぼ等しくなるよう、検査光源３０を含む光学系あるいはフローセル４０の位置を移動させる。移動量は、例えば、撮像装置９０のレンズの倍率や、貫通孔４４の直径に対するラマン散乱光の形状の長さの比に基づいて算出することができる。
【００７１】
また、検査光が球状のフローセル４０の中心からずれている場合、図２０に示すように、半球面反射膜４２を介さずに半球面レンズ部４３の表面から出射するラマン散乱光の形状と、半球面反射膜４２を介して半球面レンズ部４３の表面から出射するラマン散乱光の反射光の形状と、は、図２１に示すように、ずれて現れる。この場合、半球面反射膜４２を介さずに半球面レンズ部４３の表面から出射するラマン散乱光の形状と、半球面反射膜４２を介して半球面レンズ部４３の表面から出射するラマン散乱光の反射光の形状と、が、重なるように、検査光源３０を含む光学系あるいはフローセル４０の位置を移動させる。
【００７２】
また、第１の実施の形態と同様に、検査光の光路が、本来の光路よりも平行あるいは斜めにずれている場合、あるいはフローセル４０の位置がずれている場合も、ラマン散乱光の形状からずれを把握可能である。
【００７３】
（その他の実施の形態）
上記のように本発明を実施の形態によって記載したが、この開示の一部をなす記述及び図面はこの発明を限定するものであると理解するべきではない。この開示から当業者には様々な代替実施の形態、実施例及び運用技術が明らかになるはずである。例えば、図１に示すフローセル４０の形状が球であり、フローセル４０の貫通孔４４の断面形状が円であってもよい。また、第３の実施の形態に示す粒子検出装置において、第２の実施の形態と同様に、蛍光色素を含む液体をフローセル４０に流して、粒子検出装置を検査してもよい。このように、本発明はここでは記載していない様々な実施の形態等を包含するということを理解すべきである。
【符号の説明】
【００７４】
３０   検査光源
４０   フローセル
４１   球体部材
４２   半球面反射膜
４３   半球面レンズ部
４４   貫通孔
５０   楕円鏡
５５   レンズ
６０Ａ、６０Ｂ、６０Ｃ        光検出器
７０Ａ、７０Ｂ 波長選択的反射鏡
７１   部分反射鏡
８０   波長フィルタ
９０   撮像装置
【図１】
0006722040.tif 000002
【図２】
0006722040.tif 000003
【図３】
0006722040.tif 000004
【図４】
0006722040.tif 000005
【図５】
0006722040.tif 000006
【図６】
0006722040.tif 000007
【図７】
0006722040.tif 000008
【図８】
0006722040.tif 000009
【図９】
0006722040.tif 000010
【図１０】
0006722040.tif 000011
【図１１】
0006722040.tif 000012
【図１２】
0006722040.tif 000013
【図１３】
0006722040.tif 000014
【図１４】
0006722040.tif 000015
【図１５】
0006722040.tif 000016
【図１６】
0006722040.tif 000017
【図１７】
0006722040.tif 000018
【図１８】
0006722040.tif 000019
【図１９】
0006722040.tif 000020
【図２０】
0006722040.tif 000021
【図２１】
0006722040.tif 000022